(57)【要約】【課題】小型の製品にも利用可能なように、電極の数を減らすとともに、電極の占有面積を最小限に抑えた。【解決手段】主装置の動作項目および操作パラメータを選択するための主装置の制御パラメータ選択装置であって、表示領域を挟んで配置され、浮遊容量を有する電極と、電極と被検出体との相互距離に応じた静電容量を検出する静電容量検出手段と、検出された静電容量が予め定めた閾値を超えたときに、被検出体の接近を検知する検知手段とを備え、表示領域に制御パラメータの１つである複数の動作項目が表示され、被検出体が、表示領域を挟んで、配置された静電容量式電極のうち、２つ以上の電極間を移動した第１の操作動作と判断したときに、動作項目をスクロール表示して、動作項目のうち１の動作項目を選択し、次に、被検出体が、２つ以上の電極間を移動した第２の操作動作と判断したときに、制御パラメータの１つである操作パラメータをスクロールし、１の操作パラメータを選択する。【選択図】図１０
2015053005.tif 000002
【特許請求の範囲】
【請求項１】
主装置の動作項目および操作パラメータを選択するための主装置の制御パラメータ選択装置であって、
表示領域を挟んで配置され、浮遊容量を有する電極と、該電極と被検出体との相互距離に応じた静電容量を検出する静電容量検出手段と、該検出された静電容量が予め定めた閾値を超えたときに、被検出体の接近を検知する検知手段とを備え、
前記表示領域に前記制御パラメータの１つである複数の動作項目が表示され、前記被検出体が、前記表示領域を挟んで、配置された静電容量式電極のうち、２つ以上の前記電極間を移動した第１の操作動作と判断したときに、前記動作項目をスクロール表示して、前記動作項目のうち１の動作項目を選択し、次に、前記被検出体が、２つ以上の前記電極間を移動した第２の操作動作と判断したときに、前記制御パラメータの１つである前記操作パラメータをスクロールし、１の操作パラメータを選択することを特徴とする主装置の制御パラメータ選択装置。
【請求項２】
前記操作パラメータのスクロール後に、前記静電容量検出手段が、すべての電極について所定範囲内の静電容量を検出したときに、そのときの操作パラメータを前記１の操作パラメータとして決定することを特徴とする請求項１に記載の主装置の制御パラメータ選択装置。
【請求項３】
第１の操作動作が水平方向の操作動作であり、第２の操作動作が垂直方向の操作動作であることを特徴とする請求項１または請求項２に記載の主装置の制御パラメータ選択装置。
【請求項４】
第１の操作動作が垂直方向の操作動作であり、第２の操作動作が水平方向の操作動作であることを特徴とする請求項１または請求項２に記載の主装置の制御パラメータ選択装置。
【請求項５】
前記主装置がエアコン、オーディオ機器、ナビゲーション機器等の車載機器であることを特徴とする請求項１から４のいずれかに記載の主装置の制御パラメータ選択装置。
【請求項６】
車載機器の動作項目および操作パラメータを選択するための車載機器の制御パラメータ選択装置における車載機器の制御パラメータ選択方法であって、
表示領域を挟んで配置され、浮遊容量を有する電極と、該電極と被検出体との相互距離に応じた静電容量を検出する静電容量検出手段と、該検出された静電容量が予め定めた閾値を超えたときに、被検出体の接近を検知する検知手段とを備え、
前記表示領域に前記制御パラメータの１つである複数の動作項目が表示され、前記被検出体が、前記表示領域を挟んで、配置された静電容量式電極のうち、２つ以上の前記電極間を移動した第１の操作動作と判断したときに、前記動作項目をスクロール表示して、前記動作項目のうち１の動作項目を選択する第１のステップと、
前記被検出体が、２つ以上の前記電極間を移動した第２の操作動作と判断したときに、前記制御パラメータの１つである前記操作パラメータをスクロールし、１の操作パラメータを選択する第２のステップと、
前記操作パラメータのスクロール後に、前記静電容量検出手段が、すべての電極について所定範囲内の静電容量を検出したときに、そのときの操作パラメータを選択した操作パラメータとして決定する第３のステップと、
を備えたことを特徴とする車載機器の制御パラメータ選択方法。
【請求項７】
車載機器の動作項目および操作パラメータを選択するための車載機器の制御パラメータ選択装置における車載機器の制御パラメータ選択方法をコンピュータに実行させるためのプログラムであって、
表示領域を挟んで配置され、浮遊容量を有する電極と、該電極と被検出体との相互距離に応じた静電容量を検出する静電容量検出手段と、該検出された静電容量が予め定めた閾値を超えたときに、被検出体の接近を検知する検知手段とを備え、
前記表示領域に前記制御パラメータの１つである複数の動作項目が表示され、前記被検出体が、前記表示領域を挟んで、配置された静電容量式電極のうち、２つ以上の前記電極間を移動した第１の操作動作と判断したときに、前記動作項目をスクロール表示して、前記動作項目のうち１の動作項目を選択する第１のステップと、
前記被検出体が、２つ以上の前記電極間を移動した第２の操作動作と判断したときに、前記制御パラメータの１つである前記操作パラメータをスクロールし、１の操作パラメータを選択する第２のステップと、
前記操作パラメータのスクロール後に、前記静電容量検出手段が、すべての電極について所定範囲内の静電容量を検出したときに、そのときの操作パラメータを選択した操作パラメータとして決定する第３のステップと、
をコンピュータに実行させるためのプログラム。
【発明の詳細な説明】
【技術分野】
【０００１】
本発明は、非接触の操作動作によって、主装置の制御パラメータの選択を可能とする主装置の制御パラメータ選択装置、車載機器の制御パラメータ選択方法およびプログラムに関する。
【背景技術】
【０００２】
従来、人体などの被検出体を検出する装置としては、４辺及び４つの角部を持つ矩形形状のセンサ面（検出領域）の４辺に沿って配置された４つの電極を備えた静電容量型検出装置が提案されている（例えば、特許文献１参照）。
【０００３】
上記の近接センサ装置は、例えば、図１２に示すように、検出領域を挟んでそれぞれＸ軸方向に沿って対向して配列された複数のＸ軸電極と、前記検出領域を挟んでそれぞれＹ軸方向に沿って対向して配列された複数のＹ軸電極と、を含む電極群と、前記電極群のうち、駆動電極となる電極に印加する駆動電圧を出力する駆動回路と、前記電極群のうち、検出電極となる電極から出力された信号を検出する検出回路と、前記検出回路の検出結果から被検出体の前記Ｘ軸方向、前記Ｙ軸方向及び検出基準面に垂直なＺ軸方向の被検出体位置を演算する演算手段と、前記電極群のうち、前記駆動電極となる電極を前記駆動回路に接続すると共に、前記検出電極となる電極を前記検出回路に接続する切替え手段とを具備するものである。
【先行技術文献】
【特許文献】
【０００４】
【特許文献１】特開２０１２−３５５４号公報
【発明の概要】
【発明が解決しようとする課題】
【０００５】
しかしながら、この種の装置では、電極の数が多く、かつ電極自体の面積が大きいために、電極の占有面積が大きくなり、小型の製品には利用しにくいという問題があった。
【０００６】
そこで、本発明は、上述の課題に鑑みてなされたものであり、小型の製品にも利用可能なように、電極の数を減らすとともに、電極の占有面積を最小限に抑えた主装置の制御パラメータ選択装置、車載機器の制御パラメータ選択方法およびプログラムを提供することを目的とする。
【課題を解決するための手段】
【０００７】
本発明は、上記の課題を解決するために、以下の事項を提案している。
【０００８】
（１）本発明は、主装置の動作項目および操作パラメータを選択するための主装置の制御パラメータ選択装置であって、表示領域を挟んで配置され、浮遊容量を有する電極と、該電極と被検出体との相互距離に応じた静電容量を検出する静電容量検出手段と、該検出された静電容量が予め定めた閾値を超えたときに、被検出体の接近を検知する検知手段と、を備え、前記表示領域に前記制御パラメータの１つである複数の動作項目が表示され、前記被検出体が、前記表示領域を挟んで、配置された静電容量式電極のうち、２つ以上の前記電極間を移動した第１の操作動作と判断したときに、前記動作項目をスクロール表示して、前記動作項目のうち１の動作項目を選択し、次に、前記被検出体が、２つ以上の前記電極間を移動した第２の操作動作と判断したときに、前記制御パラメータの１つである前記操作パラメータをスクロールし、１の操作パラメータを選択することを特徴とする主装置の制御パラメータ選択装置を提案している。
【０００９】
本発明によれば、自己キャパシタンス方式を用いていることから、電極の数が少なく、装置の小型化を実現できる。また、被検出体の移動動作により、動作項目および操作パラメータを選択するジェスチャー選択方式であるため、操作性に優れている。
【００１０】
（２）本発明は、（１）の主装置の制御パラメータ選択装置について、前記操作パラメータのスクロール後に、前記静電容量検出手段が、すべての電極について所定範囲内の静電容量を検出したときに、そのときの操作パラメータを前記１の操作パラメータとして決定することを特徴とする主装置の制御パラメータ選択装置を提案している。
【００１１】
（３）本発明は、（１）または（２）の主装置の制御パラメータ選択装置について、前記第１の操作動作が水平方向の操作動作であり、前記第２の操作動作が垂直方向の操作動作であることを特徴とする主装置の制御パラメータ選択装置を提案している。
【００１２】
（４）本発明は、（１）または（２）の主装置の制御パラメータ選択装置について、前記第１の操作動作が垂直方向の操作動作であり、前記第２の操作動作が水平方向の操作動作であることを特徴とする主装置の制御パラメータ選択装置を提案している。
【００１３】
（５）本発明は、（１）から（４）の主装置の制御パラメータ選択装置について、前記主装置がエアコン、オーディオ機器、ナビゲーション機器等の車載機器であることを特徴とする主装置の制御パラメータ選択装置を提案している。
【００１４】
（６）本発明は、車載機器の動作項目および操作パラメータを選択するための車載機器の制御パラメータ選択装置における車載機器の制御パラメータ選択方法であって、表示領域を挟んで配置され、浮遊容量を有する電極と、該電極と被検出体との相互距離に応じた静電容量を検出する静電容量検出手段と、該検出された静電容量が予め定めた閾値を超えたときに、被検出体の接近を検知する検知手段とを備え、前記表示領域に前記制御パラメータの１つである複数の動作項目が表示され、前記被検出体が、前記表示領域を挟んで、配置された静電容量式電極のうち、２つ以上の前記電極間を移動した第１の操作動作と判断したときに、前記動作項目をスクロール表示して、前記動作項目のうち１の動作項目を選択する第１のステップと、前記被検出体が、２つ以上の前記電極間を移動した第２の操作動作と判断したときに、前記制御パラメータの１つである前記操作パラメータをスクロールし、１の操作パラメータを選択する第２のステップと、前記操作パラメータのスクロール後に、前記静電容量検出手段が、すべての電極について所定範囲内の静電容量を検出したときに、そのときの操作パラメータを選択した操作パラメータとして決定する第３のステップと、を備えたことを特徴とする車載機器の制御パラメータ選択方法を提案している。
【００１５】
本発明によれば、自己キャパシタンス方式を用いていることから、電極の数が少なく、機器の小型化を実現できる。また、被検出体の移動動作により、動作項目および操作パラメータを選択するジェスチャー選択方式であるため、操作性に優れている。
【００１６】
（７）本発明は、車載機器の動作項目および操作パラメータを選択するための車載機器の制御パラメータ選択装置における車載機器の制御パラメータ選択方法をコンピュータに実行させるためのプログラムであって、表示領域を挟んで配置され、浮遊容量を有する電極と、該電極と被検出体との相互距離に応じた静電容量を検出する静電容量検出手段と、該検出された静電容量が予め定めた閾値を超えたときに、被検出体の接近を検知する検知手段と、を備え、前記表示領域に前記制御パラメータの１つである複数の動作項目が表示され、前記被検出体が、前記表示領域を挟んで、配置された静電容量式電極のうち、２つ以上の前記電極間を移動した第１の操作動作と判断したときに、前記動作項目をスクロール表示して、前記動作項目のうち１の動作項目を選択する第１のステップと、前記被検出体が、２つ以上の前記電極間を移動した第２の操作動作と判断したときに、前記制御パラメータの１つである前記操作パラメータをスクロールし、１の操作パラメータを選択する第２のステップと、前記操作パラメータのスクロール後に、前記静電容量検出手段が、すべての電極について所定範囲内の静電容量を検出したときに、そのときの操作パラメータを選択した操作パラメータとして決定する第３のステップと、をコンピュータに実行させるためのプログラムを提案している。
【００１７】
本発明によれば、自己キャパシタンス方式を用いていることから、電極の数が少なく、機器の小型化を実現できる。また、被検出体の移動動作により、動作項目および操作パラメータを選択するジェスチャー選択方式であるため、操作性に優れている。
【発明の効果】
【００１８】
本発明によれば、少ない電極数でジャスチャー入力を判定できる操作パネルを達成することができるという効果がある。また、表示方法を工夫することによって、上下左右のジェスチャーと決定ジェスチャーで操作が可能となり、操作性がよく、簡易なシステムで構築することができるという効果がある。
【図面の簡単な説明】
【００１９】
【図１】本発明の実施形態に係る主装置の制御パラメータ選択装置の概略的な構成を示す図である。
【図２】本発明の実施形態に係る主装置の制御パラメータ選択装置の電気的な構成を示す図である。
【図３】本発明の実施形態に係る主装置の制御パラメータ選択装置における被検出体の近接状況の検出原理を示す図である。
【図４】本発明の実施形態に係る主装置の制御パラメータ選択装置における被検出体の近接状況の検出原理を示す図である。
【図５】本発明の実施形態に係る主装置の制御パラメータ選択装置における被検出体の近接状況の検出原理を示す図である。
【図６】本発明の実施形態に係る主装置の制御パラメータ選択装置における被検出体の近接状況の検出原理を示す図である。
【図７】本発明の実施形態に係る主装置の制御パラメータ選択装置における初期表示を示した図である。
【図８】本発明の実施形態に係る主装置の制御パラメータ選択装置における動作項目の選択動作を示した図である。
【図９】本発明の実施形態に係る主装置の制御パラメータ選択装置における制御パラメータの選択動作を示した図である。
【図１０】本発明の実施形態に係る主装置の制御パラメータ選択装置における動作項目および制御パラメータの選択完了動作を示した図である。
【図１１】本発明の実施形態に係る主装置の制御パラメータ選択装置の処理を示した図である。
【図１２】従来例に係る概略構成図である。
【発明を実施するための形態】
【００２０】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００２１】
＜実施形態＞
図１から図１０を用いて、本発明の実施形態について説明する。
【００２２】
＜主装置の制御パラメータ選択装置の概略的な構成＞
図１に示すように、本実施形態に係る主装置の制御パラメータ選択装置は、主に、電極１１０Ｘ、１２０Ｘ、１１０Ｙ、１２０Ｙと、表示パネル（表示領域）２００とから構成されている。
【００２３】
電極１１０Ｘ、１２０Ｘ、１１０Ｙ、１２０Ｙは、表示パネル（表示領域）２００の外周部に配置され、電極１１０Ｘ、１２０Ｘは、表示パネル（表示領域）２００の外周のＸ軸方向上部、下部に設けられ、電極１１０Ｙ、１２０Ｙは、表示パネル（表示領域）２００の外周のＹ軸方向上部、下部に設けられている。
【００２４】
電極１１０Ｘ、１２０Ｘ、１１０Ｙ、１２０Ｙは、静電容量の変化により、例えば、操作者の手の近接状態を検出する方式に用いられるものであり、特に、自己キャパシタンス方式と呼ばれる方式に用いられる電極である。なお、検出方法については、後述する。
【００２５】
表示パネル２００は、例えば、ＬＣＤ（Ｌｉｑｕｉｄ  Ｃｒｙｓｔａｌ  Ｄｉｓｐｌａｙ）等のフラットパネルが望ましく、本実施形態においては、エアコン、オーディオ機器、ナビゲーション機器等の動作項目および、これの操作パラメータ（エアコンであれば、温度、風向、風量等、オーディオ機器であれば、ＣＤ、ＤＶＤ、ＦＭ、ＡＭ、音量、イコラーザ等、ナビゲーション機器であれば、住所、電話番号、履歴情報等）をマトリクス状に表示する。
【００２６】
＜主装置の制御パラメータ選択装置の電気的な構成＞
図２に示すように、静電容量検出部３１０と、近接検出部３２０と、閾値格納部３３０と、制御部３４０と、表示制御部３５０とから構成されている。
【００２７】
静電容量検出部３１０は、各電極１１０Ｘ、１２０Ｘ、１１０Ｙ、１２０Ｙの静電容量の変化量（増加量）を検出する。近接検出部３２０は、例えば、静電容量検出部３１０が検出した静電容量の変化量（増加量）と閾値格納部３３０に格納された閾値とを比較して、近接状態を検出する。例えば、容量値を電圧値に変換し、電圧の形式で、両者を比較することにより、近接状態を検出する。
【００２８】
制御部３４０は、近接検出部３２０からの出力信号に基づいて、表示を変更する信号を表示制御部３５０に出力し、表示制御部３５０は入力した制御信号に基づいて表示パネル２００の表示を制御する。
【００２９】
具体的には、表示パネル２００にエアコン、オーディオ機器、ナビゲーション機器等の動作項目および、これの操作パラメータがマトリクス状に表示されている場合に、例えば、近接検出部３２０が電極１１０Ｙへの近接状態を検出した後に、電極１２０Ｙへの近接状態を検出したときには、エアコン、オーディオ機器、ナビゲーション機器等の動作項目の選択モードであると制御部３４０が判断し、近接検出部３２０が電極１１０Ｙへの近接状態を検出した後に、電極１２０Ｙへの近接状態を検出するたびに、動作項目を一コマずつスクロール表示するように、表示制御部３５０に制御信号を出力し、表示パネル２００の表示を遷移させる。
【００３０】
＜主装置の制御パラメータ選択装置における被検出体の近接状況の検出原理＞
図３から図６を用いて、本実施形態に係る主装置の制御パラメータ選択装置における被検出体の近接状況の検出原理について説明する。
【００３１】
上述したように、本実施形態で用いられる自己キャパシタンス方式では、浮遊容量を持つ電極を用いる。浮遊容量は、電極と周りの導電体の間にある寄生容量の影響を受ける。人体も導電体であることから、電極に指（人体）が近づくと浮遊容量の値が増加する（図３参照）。つまり、自己キャパシタンス方式では、電極に指（人体）が近づくことにより、増加する容量値を検出することにより、被検出体の近接状況を検出する。
【００３２】
図４および図５を用いて、被検出体の近接状況の検出方法の一例について説明する。
【００３３】
図４に検出回路の一例を示す。この図に示すように、検出回路は、コンデンサＣｃ、計測容量Ｃｘ、比較用容量Ｃｒと、抵抗Ｒｃと、スイッチＳＷ１、ＳＷ２、ＳＷ３と、コンパレータとから構成されている。
【００３４】
計測容量Ｃｘは、一端が接地され、他端が電極を介して、比較用容量Ｃｒの一端およびコンパレータの比較入力端子に接続されている。また、スイッチＳＷ１がコンパレータの比較入力端子とグランド間に設けられている。
【００３５】
コンデンサＣｃは、一端が接地され、他端が抵抗Ｒｃの一端に接続され、抵抗Ｒｃの他端は、比較用容量ＣｒおよびスイッチＳＷ１とＳＷ２の接続点に接続されている。また、スイッチＳＷ１の他端は、電源電圧Ｖｃｃに接続され、スイッチＳＷ２の他端は、接地されている。さらに、コンパレータの基準電圧端子には、Ｖｒｅｆが接続されている。ここで、コンデンサＣｃの両端電圧をＶｃ、計測容量Ｃｘの両端電圧をＶｘ、比較用容量Ｃｒの両端電圧をＶｒとする。
【００３６】
この方法では、以下のように、電極の計測容量Ｃｘの静電容量を計測する。つまり、コンデンサＣｃに電荷が溜まり、徐々に抵抗Ｒｃを介して放電する。コンデンサＣｃの電荷は、比較用コンデンサＣｒおよび計測容量Ｃｘに移動する。そこで、比較用コンデンサＣｒとコンデンサＣｃとで分割された電圧を検出することにより、電極の計測容量Ｃｘの静電容量を計測する。
【００３７】
詳しい計測方法は、１）スイッチＳＷ１をＯＮにして、コンデンサＣｃに電荷を溜める。なお、このとき、スイッチＳＷ２、ＳＷ３は、ＯＦＦ状態である。２）スイッチＳＷ１、ＳＷ２、ＳＷ３をすべてＯＦＦに切替え、コンデンサＣｃの電荷を維持する。３）スイッチＳＷ２、ＳＷ３を一定時間ＯＮとする。そして、計測容量Ｃｘおよび比較用コンデンサＣｒの電荷がすべて放電されつつ、コンデンサＣｃの電荷の一部が抵抗Ｒｃを介して放電される。４）スイッチＳＷ１、ＳＷ２、ＳＷ３をすべてＯＦＦに切替える。このとき、コンデンサＣｃの電荷は、計測容量Ｃｘと比較用コンデンサＣｒに移動する。５）コンパレータで計測容量Ｃｘの電圧（Ｖｘ）とＶｒｅｆを比較する。
【００３８】
上記、４）、５）の等価回路を図５に示す。ここで、比較用コンデンサＣｒ、計測容量Ｃｘ、コンデンサＣｃの電圧、Ｖｒ、Ｖｘ、Ｖｃは、等しくしなければならないため、コンデンサＣｃの電荷は、計測容量Ｃｘ、比較用コンデンサＣｒに分散する。
【００３９】
電圧Ｖｒ、Ｖｘ、Ｖｃと比較用コンデンサＣｒ、計測容量Ｃｘ、コンデンサＣｃの容量との関係は、以下の数１から数３となる。
【００４０】
【数１】
2015053005.tif 000003
【００４１】
【数２】
2015053005.tif 000004
【００４２】
【数３】
2015053005.tif 000005
【００４３】
上記３）、４）、５）を、Ｖｘ＜Ｖｒｅｆの条件を満たすまで、実施する。ここで、数３に示すように、容量Ｃｘが大きくなると、Ｖｘ＜Ｖｒｅｆの条件を満たすまでの放電サイクル数が図６に示すように、少なくなる。そこで、この放電サイクル数をカウントすることにより、近接状態を検出することができる。
【００４４】
したがって、電極１１０Ｙにおいて、被検出体の近接状態を検出した後に、電極１２０Ｙにおいて、被検出体の近接状態を検出した場合には、被検出体が左右に動いたと判断し、電極１１０Ｘにおいて、被検出体の近接状態を検出した後に、電極１２０Ｘにおいて、被検出体の近接状態を検出した場合には、被検出体が上下に動いたと判断する。また、例えば、電極１１０Ｙ、電極１１０Ｘ、電極１２０Ｙ、電極１２０Ｘ、電極１１０Ｙの順番に被検出体の近接状態を検出した場合には、被検出体が右回りに円状に動いたと判断し、電極１１０Ｙ、電極１２０Ｘ、電極１２０Ｙ、電極１１０Ｘ、電極１１０Ｙの順番に被検出体の近接状態を検出した場合には、被検出体が右回りに円状に動いたと判断する。このほかにも、上半円状、下半円状を識別することもできる。
【００４５】
＜主装置の制御パラメータ選択装置における表示形態＞
図７から図１０を用いて、主装置の制御パラメータ選択装置における表示形態について説明する。
【００４６】
図７は、本実施形態に係る主装置の制御パラメータ選択装置の表示領域２００の初期状態での表示例を示したものである。図７によれば、最上部の行には、ＮＡＶＩ、ＡＩＲ  ＣＯＮ、ＡＵＤＩＯ、ＰＣ、ＰＨＯＮＥ等の動作項目が表示されている。以下の行には、操作パラメータ、例えば、ＶＯＬ１６、ＶＯＬ１７、ＶＯＬ１８、ＶＯＬ１９、ＶＯＬ２０等の音量表示、ＡＵＸ、ＵＳＢ等のＰＣの機能やＣＤ／ＤＶＤ、ＦＭ、ＡＭ等のＡＵＤＩＯの機能が表示されている。また、２５．５℃、２６．０℃、２６．５℃、２７．０℃、２７．５℃等の温度表示、ＴＥＬ、住所、履歴、登録地点、ランドマーク等のＮＡＶＩに関する機能が表示されている。
【００４７】
係る初期表示状態から、例えば、操作者が手を本実施形態に係る主装置の制御パラメータ選択装置の表面に近接して、上下に動かすと、最上部の行に表示された動作項目がスクロール表示される。そして、図８に示すように、例えば、網掛け部に、操作者が操作しようとする動作項目がスクロールされたときに、手の動作を停止すると、動作項目が確定する。なお、図７に限らず、動作項目が確定したときに、その動作項目に関連する制御パラメータをその下の行に一括して、表示するようにしてもよい。
【００４８】
次に、図９に示すように、例えば、操作者が手を本実施形態に係る主装置の制御パラメータ選択装置の表面に近接して、左右に動かすと、操作パラメータが上の行から順にスクロール表示される。具体的には、ＶＯＬ１６、ＶＯＬ１７、ＶＯＬ１８、ＶＯＬ１９、ＶＯＬ２０等の音量表示が横に１コマずつスクロール表示され、この行のすべての操作パラメータのスクロール表示が終わると、下の行、つまり、ＡＵＸ、ＵＳＢ等のＰＣの機能やＣＤ／ＤＶＤ、ＦＭ、ＡＭ等の操作パラメータが横に１コマずつスクロール表示され、この行のすべての操作パラメータのスクロール表示が終わると、下の行に移行する。なお、最下行までスクロール表示した後に、操作者の手が左右に動いたことを検出した場合には、選択処理をリセットしてもよい。また、本実施形態では、初期表示されている動作項目、操作パラメータをスクロール表示する例を示したが、初期表示されている動作項目、操作パラメータだけでなく、初期表示されていない動作項目、操作パラメータをスクロール表示してもよい。さらに、動作項目、操作パラメータの初期表示は、操作者が、自由に設定できるようにしてもよい。
【００４９】
そして、確定した動作項目が表示されている行（図９の灰色の部分）に、操作者が操作しようとする操作パラメータがスクロールされたときに、手の動作を停止し、図１０に示すように、本実施形態に係る主装置の制御パラメータ選択装置の表面に近接して、操作者が、手のひらをかざすと（静電容量検出部３１０が、すべての電極について所定範囲内の静電容量を検出）、動作項目および操作パラメータが最終的に確定する。なお、本実施形態では、操作者が、手のひらをかざすと、動作項目および操作パラメータが最終的に確定する例について説明したが、これに、限らず、例えば、操作者が、手を円状に動かした場合等に、動作項目および操作パラメータが最終的に確定するように、してもよい。
【００５０】
＜主装置の制御パラメータ選択装置の処理＞
図１０を用いて、本実施形態に係る主装置の制御パラメータ選択装置の処理について説明する。
【００５１】
表示領域２００に制御パラメータの１つである複数の動作項目が表示され、被検出体が、表示領域２００を挟んで、配置された静電容量式電極（１１０Ｘ、１２０Ｘ、１１０Ｙ、１２０Ｙ）のうち、２つ以上の電極間を移動した第１の操作動作と判断したときに、動作項目をスクロール表示して、動作項目のうち１の動作項目を選択する（ステップＳ１１０）。
【００５２】
具体的には、初期表示状態から、例えば、操作者が手を本実施形態に係る主装置の制御パラメータ選択装置の表面に近接して、上下に動かすと、最上部の行に表示された動作項目がスクロール表示される。そして、所定の箇所に、操作者が操作しようとする動作項目がスクロールされたときに、手の動作を停止すると、動作項目が確定する。
【００５３】
次に、被検出体が、２つ以上の電極間を移動した第２の操作動作と判断したときに、制御パラメータの１つである操作パラメータをスクロールし、１の操作パラメータの選択する（ステップＳ１２０）。
【００５４】
具体的には、例えば、操作者が手を本実施形態に係る主装置の制御パラメータ選択装置の表面に近接して、左右に動かすと、操作パラメータが上の行から順にスクロール表示される。つまり、操作パラメータが表示された最上部の行の操作パラメータが横に１コマずつスクロール表示され、この行のすべての操作パラメータのスクロール表示が終わると、下の行が、同様に横に１コマずつスクロール表示される。そして、所定の箇所に、操作者が操作しようとする操作パラメータがスクロールされたときに、手の動作を停止する。
【００５５】
操作パラメータのスクロール後に、静電容量検出部３１０が、すべての電極について所定範囲内の静電容量を検出したときに、そのときの操作パラメータを選択した操作パラメータとして決定する（ステップＳ１３０）。
【００５６】
具体的には、例えば、本実施形態に係る主装置の制御パラメータ選択装置の表面に近接して、操作者が、手のひらをかざすと、動作項目および操作パラメータが最終的に確定する。
【００５７】
以上、説明したように、本実施形態によれば、少ない電極数でジャスチャー入力を判定できる操作パネルを達成することができる。また、表示方法を工夫することによって、上下左右のジェスチャーと決定ジェスチャーで操作が可能となり、操作性がよく、簡易なシステムで構築することができる。
【００５８】
なお、主装置の制御パラメータ選択装置の処理をコンピュータシステムが読み取り可能な記録媒体に記録し、この記録媒体に記録されたプログラムを主装置の制御パラメータ選択装置に読み込ませ、実行することによって本発明の主装置の制御パラメータ選択装置を実現することができる。ここでいうコンピュータシステムとは、ＯＳや周辺装置等のハードウェアを含む。
【００５９】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００６０】
また、上記プログラムは、前述した機能の一部を実現するためのものであってもよい。さらに、前述した機能をコンピュータシステムにすでに記録されているプログラムとの組合せで実現できるもの、いわゆる差分ファイル（差分プログラム）であってもよい。
【００６１】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００６２】
１１０Ｘ；電極
１２０Ｘ；電極
１１０Ｙ；電極
１２０Ｙ；電極
２００；表示パネル（表示領域）
３１０；静電容量検出部
３２０；近接検出部
３３０；閾値格納部
３４０；制御部
３５０；表示制御部
【図１】
2015053005.tif 000006
【図２】
2015053005.tif 000007
【図４】
2015053005.tif 000008
【図５】
2015053005.tif 000009
【図７】
2015053005.tif 000010
【図１１】
2015053005.tif 000011
【図１２】
2015053005.tif 000012
【図３】
2015053005.tif 000013
【図６】
2015053005.tif 000014
【図８】
2015053005.tif 000015
【図９】
2015053005.tif 000016
【図１０】
2015053005.tif 000017